(57)【要約】【課題】  運搬時に排水が漏れ出さない構造の排水トレーを備えたミスト発生装置を提供する。【解決手段】  排水トレー５に設置されたカバー２９の上部にキャップ３２を設置したことで、排水トレー５をトレー収納室３８内に収納すると、キャップ３２の当接部３６が押圧面４１と当接して鉛直下向きに押圧されることで蓋部３５側のアーム３４が上方向に動作して開口３０を開放するので、トレー収納室３８内に排水トレー５の収納が完了すると排水管２５から滴下する排水が開口３０から排水トレー５内に流入可能な状態になり、排水トレー５をトレー収納室３８から取り外すと、バネ３７によって蓋部３５側のアーム３４が鉛直下向きに付勢され開口３０を閉止するため、排水を捨てる時にトレー収納室３８から排水トレー５を取り外して洗面所等へ運搬する時、排水トレー５から水漏れが発生する事態を防止することができる。【選択図】  図４
2015169382.tif 000002
【特許請求の範囲】
【請求項１】
器具本体と、該器具本体内に設置され水を貯める貯水室と、該貯水室内の水から加湿空気を発生させるミスト発生手段と、該ミスト発生手段で発生した加湿空気を室内に送風する送風ファンと、前記貯水室から排水管を介して流入する水を溜める排水トレーと、前記器具本体内にあり水平方向にスライドさせることで前記排水トレーの収納及び取り外しが可能なトレー収納室と、前記排水トレーの上部を覆い前記排水管の水が流入可能な開口が形成されたカバーとを備え、前記排水トレーを前記トレー収納室から取り外した時は前記開口を閉止し、前記排水トレーを前記トレー収納室内へ収納した時は前記開口を開放するキャップを前記カバーに備えたことを特徴としたミスト発生装置。
【請求項２】
前記キャップは、前記カバーの上面に固着された軸と、中間位置にある前記軸で支持されたアームと、該アームの一端に形成され前記開口を開閉する蓋部と、前記アームの他端に形成され前記トレー収納室内へ前記排水トレーを収納した時に前記器具本体に形成された押圧面と当接して前記開口を開放する方向へ前記蓋部を動作させる当接部とで構成されたことを特徴とした請求項１記載のミスト発生装置。
【請求項３】
前記トレー収納室から前記排水トレーを取り外した時、前記蓋部を閉止する方向へ付勢する弾性体を前記軸に設置したことを特徴とした請求項２記載のミスト発生装置。
【請求項４】
前記当接部は、前記トレー収納室内に前記排水トレーを収納する時に前記押圧面と当接する前記押圧面に向けて凸した面が曲面状に形成されたことを特徴とした請求項２又は３記載のミスト発生装置。
【請求項５】
前記ミスト発生手段は、前記貯水室内に下端を水没させ、回転により水を汲み上げて飛散させる筒状の回転体と、該回転体を回転駆動させるミストモータと、前記回転体の回転により飛散された水が衝突する衝突体とで構成されていることを特徴とした請求項１から４のいずれか１項に記載のミスト発生装置。
【発明の詳細な説明】
【技術分野】
【０００１】
この発明は、貯水室で発生させた加湿空気を送風するミスト発生装置に関するものである。
【背景技術】
【０００２】
従来、この種のものにおいて、器具本体内で発生した排水を貯留する排水トレーの上面に排水が流入可能な開口が形成された着脱自在のカバーを設置し、器具本体内にあるトレー収納室から排水トレーを勢いよく取り外す等して水面が波立っても、カバーによって排水トレーの外部に排水が滴下するのを防止するものがあった。（例えば、特許文献１）
【先行技術文献】
【特許文献】
【０００３】
【特許文献１】特開２００１−６５９１９号公報
【発明の概要】
【発明が解決しようとする課題】
【０００４】
しかし、この従来のものでは、器具本体内で発生した排水が流入する開口を閉止することができないため、排水トレー内に貯留した排水を洗面所等に捨てようとしてトレー収納室から排水トレーを取り外して運搬する時、排水トレーの開口から排水が漏れ出す虞があることから、改善の余地があった。
【課題を解決するための手段】
【０００５】
上記課題を解決するために、本発明の請求項１では、器具本体と、該器具本体内に設置され水を貯める貯水室と、該貯水室内の水から加湿空気を発生させるミスト発生手段と、該ミスト発生手段で発生した加湿空気を室内に送風する送風ファンと、前記貯水室から排水管を介して流入する水を溜める排水トレーと、前記器具本体内にあり水平方向にスライドさせることで前記排水トレーの収納及び取り外しが可能なトレー収納室と、前記排水トレーの上部を覆い前記排水管の水が流入可能な開口が形成されたカバーとを備え、前記排水トレーを前記トレー収納室から取り外した時は前記開口を閉止し、前記排水トレーを前記トレー収納室内へ収納した時は前記開口を開放するキャップを前記カバーに備えたことを特徴とする。
【０００６】
また、請求項２では、前記キャップは、前記カバーの上面に固着された軸と、中間位置にある前記軸で支持されたアームと、該アームの一端に形成され前記開口を開閉する蓋部と、前記アームの他端に形成され前記トレー収納室内へ前記排水トレーを収納した時に前記器具本体に形成された押圧面と当接して前記開口を開放する方向へ前記蓋部を動作させる当接部とで構成されたことを特徴とする。
【０００７】
また、請求項３では、前記トレー収納室から前記排水トレーを取り外した時、前記蓋部を閉止する方向へ付勢する弾性体を前記軸に設置したことを特徴とする。
【０００８】
また、請求項４では、前記当接部は、前記トレー収納室内に前記排水トレーを収納する時に前記押圧面と当接する前記押圧面に向けて凸した面が曲面状に形成されたことを特徴とする。
【０００９】
また、請求項５では、前記ミスト発生手段は、前記貯水室内に下端を水没させ、回転により水を汲み上げて飛散させる筒状の回転体と、該回転体を回転駆動させるミストモータと、前記回転体の回転により飛散された水が衝突する衝突体とで構成されていることを特徴とする。
【発明の効果】
【００１０】
この発明によれば、排水トレーをトレー収納室から取り外した時は開口を閉止し、排水トレーをトレー収納室内へ収納した時は開口を開放するキャップをカバーに備えたので、排水トレー内の水を捨てるためトレー収納室から排水トレーを取り外して洗面所等に運搬する時、排水トレー内の排水が漏れ出すことがなく、排水トレーをトレー収納室内へ収納したら開口が開放され貯水室の水が流入可能な状態となるため、使い勝手が向上する。
【００１１】
また、キャップは、カバーの上面に固着された軸と、中間位置にある軸で支持されたアームと、該アームの一端に形成され開口を開閉する蓋部と、アームの他端に形成されトレー収納室内へ排水トレーを収納した時に器具本体に形成された押圧面と当接して開口を開放する方向へ蓋部を動作させる当接部とで構成されたので、簡易な構成のキャップによってトレー収納室内に排水トレーが収納された時に開口を開放することができる。
【００１２】
また、トレー収納室から排水トレーを取り外した時、蓋部を閉止する方向へ付勢する弾性体を軸に設置したので、排水トレーがトレー収納室から取り外された時に弾性体によって開口を確実に閉止することで、排水トレーの運搬時に開口から水漏れが発生することを確実に防止することができる。
【００１３】
また、当接部は、トレー収納室内に排水トレーを収納する時に押圧面と当接する押圧面に向けて凸した面が曲面状に形成されたので、排水トレーをトレー収納室内へ収納及びトレー収納室から取り外すために器具本体に対して水平方向にスライドさせる時、当接部が押圧面と接触してもスムーズに排水トレーを移動させることができる。
【００１４】
また、ミスト発生手段は、貯水室に下端を水没させ、回転により水を汲み上げて飛散させる筒状の回転体と、該回転体を回転駆動させるミストモータと、回転体の回転により飛散された水が衝突する衝突体とで構成されているので、貯水室内の水を回転体で汲み上げて衝突体に衝突させる簡易な構成によってナノミストとマイナスイオンを多量に発生させることができるため、組付けが容易であり低コストでミスト発生手段を構成できる。
【図面の簡単な説明】
【００１５】
【図１】この発明の一実施形態の器具本体の外観を説明する斜視図
【図２】同実施形態の概略構成図
【図３】同実施形態の制御ブロック図
【図４】同実施形態のトレー収納室内に排水トレーを収納した状態を説明する図
【図５】同実施形態のトレー収納室から排水トレーを取り外した状態を説明する図
【発明を実施するための形態】
【００１６】
次に、この発明の一実施形態におけるミスト発生装置を図に基づいて説明する。
１は器具本体であり、該器具本体１の下面を構成する下面ケース２と、上面を構成する上面ケース３とで構成されている。
【００１７】
４は器具本体１内で発生した加湿空気を室内に放出する送風口、５は器具本体１の正面に引き出し用の取っ手が形成され器具本体１内で発生した排水を所定量だけ貯留可能な排水トレー、６は器具本体１の上面に形成され開閉自在の給水タンク扉、７は各種操作用のスイッチが設置された操作部である。
【００１８】
８は器具本体１内に固定され所定量の水を貯めることができる貯水室、９は前記貯水室８内の貯水に下端を水没させ駆動軸１０に軸支された筒状の回転体であり、回転体９は略中央部で駆動軸１０の端部と図示しないナットで固定されており、ナットを外して回転体９を取り外すことで回転体９の清掃を行うことができる。
【００１９】
前記回転体９は、中空逆円錐形で上方に向かって径が徐々に拡大するものであり、駆動軸１０に接続され回転体９を回転駆動させるミストモータ１１を駆動させ、回転体９が回転することでの回転の遠心力で貯水室８内の貯水を汲み上げ、回転体９の外壁および内壁を伝わせて水を押し上げて、回転体９の外壁を伝わせて押し上げた水を周囲に飛散させると共に、回転体９の内壁を伝わせて押し上げた水を回転体９の上端に形成された複数の図示しない飛散口から周囲に飛散させる。
【００２０】
１２は回転体９の上部外周に所定間隔を離間させて位置し、回転体９と共に回転する円筒状の多孔体で、該多孔体１２には、その全周壁に多数のスリットや金網やパンチングメタル等から成る衝突体としての多孔部１３が設置されており、前記回転体９、前記ミストモータ１１及び前記多孔部１３でミスト発生手段が構成されている。
【００２１】
前記ミスト発生手段を構成するミストモータ１１を駆動させ、回転体９を回転させたことで発生する遠心力によって貯水室８内の水を汲み上げると共に空気を飛散させ、多孔部１３を通過した水滴が破砕されることで、水の粒子を微細化してナノメートル（ｎｍ）サイズのミストが生成すると共に、水の粒子の微細化によるレナード効果でマイナスイオンを多量に発生させるものである。
【００２２】
１４は所定量の水を内部に貯水可能なカートリッジ式の給水タンク、１５は給水タンク１４の先端に冠着された給水蓋、１６は前記給水タンク１４を前記器具本体１内に収納可能なタンク収納室、１７は該タンク収納室の下部にあり前記給水蓋１５が設置可能な突起１８を備えた給水室であり、給水タンク１４がタンク収納室１６内に収納され、給水蓋１５の図示しない流入口が突起１８によって持ち上げられることで、給水タンク１４内の水を給水室１７へ供給することができる。
【００２３】
１９は給水室１７内に設置され、フロートが上下することで水位を検知する給水センサであり、給水室１７内の水位が低下して所定水位以下になったらＯＮ信号を出力し、水位が上昇して所定水位以上になったらＯＦＦ信号を出力することで、給水室１７内の水位を確認する。
【００２４】
２０は所定の回転数で駆動する送風ファンであり、器具本体１の背面にある図示しない吸い込み口から吸い込んだ室内空気を吹き出して、貯水室８を通過させて送風口４から送風することで、貯水室８内で発生させたナノメートルサイズのミストとマイナスイオンとを含んだ加湿空気を室内に供給する。
【００２５】
２１は貯水室８と給水室１７とを接続する配管で構成された通水経路、２２は該通水経路２１の途中に設置された三方弁であり、通水経路２１は、貯水室８と三方弁２２とを接続する貯水管２３と、給水室１７と三方弁２２とを接続する給水管２４とで構成されている。
【００２６】
なお、貯水室８と給水室１７とは器具本体１内において同一の高さとなるように設置されていることで、貯水管２３と給水管２４とが連通するよう三方弁２２の弁を切り替えると給水室１７内の水が貯水室８内に供給され、給水室１７の水面の高さと貯水室８の水面の高さが同一となる。
【００２７】
２５は三方弁２２に一端が接続され配管内の水を前記排水トレー５内へ流入させる排水管であり、三方弁２２を切り替えることで貯水管２３と給水管２４又は排水管２５とが連通可能となる。
【００２８】
２６は排水トレー５内にあるフロート２７と連動するように設置されたマグネット２８との距離によりＯＮ／ＯＦＦ状態を切り替えることで排水トレー５内の水位が検知可能な近接センサ方式の排水センサであり、排水トレー５内が所定水位以上となってフロート２７が浮力で浮き上がるとマグネット２８が排水センサ２６から離れることでＯＮ信号を出力して満水を検知し、排水トレー５内へ水が流入しないよう三方弁２２を切り替えることで排水トレー５から水が溢れ出すのを防止できるため、器具本体１の設置面を濡らすことがない。
【００２９】
２９は排水トレー５の上面を覆うように設置され取り外し可能なカバーであり、前記カバー２９には、排水管２５から滴下する水を排水トレー５内へ流入可能とする開口３０と、前記フロート２８と接触しないような所定の曲率で凸状の膨張面３１とが形成されており、排水トレー５内が満水になったらカバー２９を取り外して排水トレー５内の水を洗面所等に捨てることができる。
【００３０】
３２は前記カバー２９の上面に備えられたキャップであり、前記キャップ３２は、前記カバー２９の上面に固着された軸３３と、中間位置にある前記軸３３で支持されたアーム３４と、該アーム３４の一端に形成され開口３０の開閉が可能な蓋部３５と、前記アーム３４の他端に形成され押圧面４１に向けて凸した面が曲面状の当接部３６とで構成されている。
【００３１】
また、軸３３に所定の弾性力に調整され当接部３６を常時鉛直上向きに付勢する弾性体としてのバネ３７を設置したことで、トレー収納室３８から排水トレー５を取り外した時、蓋部３５を鉛直下向きに付勢してカバー２９の開口３０を確実に閉止した状態でアーム３４を保持する。
【００３２】
３８は器具本体１内に排水トレー５を収納可能とするトレー収納室、３９は排水トレー５の下面で突起状に形成されたトレー凸部、４０はトレー収納室３８の下面に形成された装着凸部であり、排水トレー５をトレー収納室３８内に収納するため水平方向にスライドさせた時、装着凸部４０を乗り越えた位置でトレー凸部３９と当接して係止することから、排水トレー５を取り外す水平方向側に対して抵抗となるため、器具本体１を運搬する時に排水トレー５がトレー収納室３８から外れ難くなる。
【００３３】
４１は器具本体１内に形成され排水トレー５をトレー収納室３８内に収納した時に当接部３６の上面が当接する押圧面であり、排水トレー５をトレー収納室３８内に水平方向へスライドさせて奥側へ挿入すると、当接部３６側のアーム３４が押圧面４１により押圧され下方向に動作すると共に蓋部３５側のアーム３４が上方向に動作して開口３０を開放するので、排水管２５から滴下した排水が開口３０から排水トレー５内に流入可能となる。
【００３４】
４２は操作部７上に備えられミスト運転の開始及び停止を指示する運転スイッチ、４３は該運転スイッチ４２が操作されミスト運転が開始されたら点灯する運転ランプであり、運転スイッチ４２が操作されたらミストモータ１１と送風ファン２０とを所定の回転数で駆動させるミスト運転の開始及び停止の指示信号を出力する。
【００３５】
４４は各センサで検知された検知値や操作部７上に備えられた各スイッチから送信された信号を受信し、各部の動作や弁の開閉等を出力して制御するマイコンで構成された制御部であり、該制御部４４には、ミスト運転の開始や三方弁２２の切り替えが実施されたことが出力されてから経過した時間をカウントする計時手段４５が備えられている。また、４６は給水センサ１９及び排水センサ２６のＯＮ／ＯＦＦ状態の出力信号に応じた音を鳴らして報知するスピーカである。
【００３６】
次に、本実施形態におけるミスト運転について説明する。
まず、操作部７上に設置された運転スイッチ４２が操作されミスト運転の開始指示が出力されたら、制御部４４は、貯水管２３と給水管２４とが連通するよう三方弁２２を切り替えると共にミストモータ１１及び送風ファン２０を所定の回転数で駆動させることで、貯水室８内の水が回転体９で揚水され多孔部１３で破砕されることでナノメートルサイズのミストとマイナスイオンが発生し、送風ファン２０によって加湿空気として送風口４から室内に送風される。
【００３７】
そして、ミスト運転中に操作部７上の運転スイッチ４２が操作された等してミスト運転の停止指示が出力されたら、制御部４４は、ミストモータ１１及び送風ファン２０を停止させ貯水管２３と排水管２５とが連通するよう三方弁２２を切り替えることで、貯水室８内の水を排水トレー５内に流入させた後に乾燥運転を実施することで、貯水室８内を清潔な状態に保ちかつ給水室１７内の清潔な水が排水されないようにする。
【００３８】
次に、本実施形態における排水トレー５のカバー２９上に設置されたキャップ３２の動作について図４及び図５に基づいて説明する。
まず、トレー収納室３８内へ収納するため排水トレー５をトレー収納室３８の奥側へ水平方向にスライドさせると、当接部３６が押圧面４１に当接して鉛直下向きに押圧されることで蓋部３５側のアーム３４が上方向に動作して徐々に開口３０が開放され、トレー凸部３９が装着凸部４０を乗り越えた位置まで排水トレー５を水平方向にスライドさせトレー収納室３８内への収納が完了すると、開口３０を完全に開放した位置まで蓋部３５が上昇した状態でアーム３４が保持されるため、排水管２５から滴下する排水を開口３０から排水トレー５内に流入可能な状態となる。
【００３９】
そして、ミスト運転終了後に貯水室８内の水について排水管２５を介して排水トレー５内に滴下させる排水動作を実施し、貯水室８内の排水動作が完了して貯水室８と排水管２５とが連通しないよう三方弁２２を切り替えたら、排水トレー５の取っ手を掴んでトレー収納室３８の手前側へ水平方向にスライドさせ排水トレー５の取り外しを開始すると、当接部３６が押圧面４１と接触しなくなる位置まで排水トレー５を取り外すと当接部３６を鉛直下向きに押圧する力がなくなるため、バネ３７によって当接部３６側のアーム３４が上方向に付勢されて蓋部３５側のアーム３４が下方向に動作することで開口３０が閉止されるので、トレー収納室３８から排水トレー５の取り外しが完了した時、蓋部３５によって開口３０が完全に閉止した状態となることから、排水トレー５の運搬時に開口３０から水が漏れ出す虞がない。
【００４０】
以上のように、排水トレー５に設置されたカバー２９の上部にキャップ３２を設置したことで、排水トレー５をトレー収納室３８内に収納すると、キャップ３２の当接部３６が押圧面４１と当接して鉛直下向きに押圧されることで蓋部３５側のアーム３４が上方向に動作して開口３０を開放した状態で保持されるので、トレー収納室３８内に排水トレー５の収納が完了すると排水管２５から滴下した排水が開口３０より排水トレー５内に流入可能となり、排水トレー５をトレー収納室３８から取り外すと、バネ３７によって当接部３６側のアーム３４が鉛直上向きに付勢されることで蓋部３５側のアーム３４が下向きに動作して開口３０を閉止するため、排水を捨てる時にトレー収納室３８から排水トレー５を取り外して洗面所等へ運搬する時、排水トレー５から水漏れが発生する事態を防止することができる。
【００４１】
また、トレー収納室３８内への排水トレー５の収納が完了した時、トレー凸部３９が装着凸部４０を乗り越えた位置で係止するので、キャップ３２の当接部３６が押圧面４１によって鉛直下向きに押圧されていることと相俟って排水トレー５がトレー収納室３８内で強固に固定されるため、排水トレー５をトレー収納室３８内に収納したまま器具本体１を運搬する時、トレー収納室３８が形成された側面が鉛直下向きの状態で器具本体１を運搬しても排水トレー５が器具本体１から飛び出すことがなく、安全に器具本体１を運搬することができる。
【００４２】
また、当接部３６を押圧面４１に向けて凸した面が曲面状なるように形成したことで、トレー収納室３８内に排水トレー５を収納あるいは取り外す時、当接部３６が押圧面４１に引っ掛かることなくスムーズにスライドさせることができるため使い勝手が向上する。
【００４３】
なお、本実施形態では軸３３にバネ３７を備えたことでアーム３４が動作可能な構造のキャップ３２で説明しているが、これに限らず例えば、蓋部３５の材質や大きさを変化させる等して当接部３６より蓋部３５の方が重くなるようにした構造のキャップ３２を用いてもよく、排水トレー５をトレー収納室３８から取り外した時は蓋部３５の自重で下方向に動作して開口３０を閉止し、排水トレー５をトレー収納室３８内に収納した時は当接部３６が押圧面４１に当接して鉛直下向きに押圧されることで蓋部３５が上向きに動作して開口３０を開放することで、排水管２５から滴下する排水を開口３０から排水トレー５内に流入させることが可能な構成であってもよい。
【００４４】
また、本実施形態では上面側が半円形の当接部３６で説明しているが、これに限らず例えば、当接部３６を球状に形成してもよく、押圧面４１と当接する面が曲面状であれば他のいかなる形状であってもよいものである。
【００４５】
また、本実施形態の説明で用いた排水トレー５やキャップ３２の形状等は一例であり、器具本体１の形状によるトレー収納室３８の位置等によって変化するため、本発明の趣旨を逸脱しない範囲において各数値は変更可能である。
【符号の説明】
【００４６】
１    器具本体
４    送風口
５    排水トレー
８    貯水室
９    回転体
１１    ミストモータ
１３    多孔部
２０    送風ファン
２５    排水管
２９    カバー
３０    開口
３２    キャップ
３３    軸
３４    アーム
３５    蓋部
３６    当接部
３７    バネ（弾性体）
３８    トレー収納室
４１    押圧面
【図１】
2015169382.tif 000003
【図２】
2015169382.tif 000004
【図３】
2015169382.tif 000005
【図４】
2015169382.tif 000006
【図５】
2015169382.tif 000007